(57)【特許請求の範囲】
【請求項１】
家具の天板における側縁の前部、または前縁の側部に、操作レバーを、その操作部が外側方または前方に突出するようにして設け、前記操作レバーを天板の内方に向かって押動することにより、操作レバーに連係された被操作装置を作動させるようにし、さらに、前記天板の下面に、天板の側縁の前部または前縁の側部に開口する上向きの凹入部を形成し、この凹入部に、前記操作レバーを、その操作部が前記開口より突出するようにして設けたことを特徴とする天板付き家具。
【請求項２】
天板を、移動可能として装着するとともに、停止装置の作動により、天板の移動を停止させるようにした家具における前記天板の側縁の前部、または前縁の側部に、操作レバーを、その操作部が外側方または前方に突出するようにして設け、前記操作レバーを天板の内方に向かって押動することにより、操作レバーに連係した前記停止装置の作動を解除して、天板を移動可能とするようにし、さらに、前記天板の下面に、天板の側縁の前部または前縁の側部に開口する上向きの凹入部を形成し、この凹入部に、前記操作レバーを、その操作部が前記開口より突出するようにして設けたことを特徴とする天板付き家具。
【請求項３】
天板の前部の側縁を、それより後方の側縁より内方に凹入する形状とし、その凹入部分に、操作レバーの操作部を配設したことを特徴とする請求項１または２記載の天板付き家具。
【請求項４】
天板の両側部に、左右１対の操作レバーを設け、その一方を、天板の昇降装置の昇降停止手段に、また他方を、天板の傾斜角度を変更するチルト装置のチルト停止手段に連係したことを特徴とする請求項１〜３のいずれかに記載の天板付き家具。
【請求項５】
天板の前縁に、前方に向かって突出する手掛け部を設けたことを特徴とする請求項１〜４のいずれかに記載の天板付き家具。
【発明の詳細な説明】
【技術分野】
【０００１】
本発明は、机、テーブル、ワゴン等の天板付き家具に関する。
【背景技術】
【０００２】
この種の天板付き家具としては、例えば、天板の前部の左右寸法を、前端に向かって漸次小とし、その前隅部下面に、操作手段の操作レバーを、斜め前外側方に向かって水平に操作しうるように設け、この操作レバーの操作により、天板の昇降装置やチルト装置の作動を制御するようにしたものがある(例えば特許文献１参照)。
また、天板の角部に設けた操作摘みを回転させるタイプのものや(例えば特許文献２参照)、ハンドルを手前に引くタイプのもの(例えば特許文献３参照)等がある。
【特許文献１】特開２００６−１０２１０５号公報
【特許文献２】実開昭６４−１６８４３号公報
【特許文献３】実開昭６０−２７７２９号公報
【発明の開示】
【発明が解決しようとする課題】
【０００３】
しかし、特許文献１に記載されているものにおいては、操作レバーが、天板の下面に設けた支持ベースにおける上方に凹入する凹部内に設けられており、操作者が指先で操作レバーを回動操作しなければならず、指先や手の神経に障害のある障害者にとっては、上記のような操作レバーの回動操作がし難いという問題がある。
【０００４】
まして、特許文献２に記載されているような操作摘みを回転させたり、特許文献３に記載されているようなハンドルを手前に引くことは、上記のような障害者にとってはほとんど不可能である。
【０００５】
本発明は、従来の技術が有する上記のような問題点に鑑み、指先や手の神経に障害のある障害者にとっても、操作レバーを簡単に操作することができるとともに、操作性及び安全性を考慮した天板付き家具を提供することを目的としている。
【課題を解決するための手段】
【０００６】
本発明によると、上記課題は、次のようにして解決される。
(１)  家具の天板における側縁の前部、または前縁の側部に、操作レバーを、その操作部が外側方または前方に突出するようにして設け、前記操作レバーを天板の内方に向かって押動することにより、操作レバーに連係された被操作装置を作動させるようにし、さらに、前記天板の下面に、天板の側縁の前部または前縁の側部に開口する上向きの凹入部を形成し、この凹入部に、前記操作レバーを、その操作部が前記開口より突出するようにして設ける。
【０００７】
このような構成とすると、指先や手の神経に障害のある障害者にとっても、操作レバーを簡単に操作することができるとともに、操作レバーを押動するだけでよいので、操作性もよい。
また、操作レバーの操作部以外の部分を天板内に収容して、操作レバーを目立たなくし、外観をよくすることができるだけでなく、机に向かって椅子に着座した着座者の下肢が、操作レバーに当接して、誤操作されるといったおそれを防止することができる。
【０００８】
(２)  天板を、移動可能として装着するとともに、停止装置の作動により、天板の移動を停止させるようにした家具における前記天板の側縁の前部または前縁の側部に、操作レバーを、その操作部が外側方または前方に突出するようにして設け、前記操作レバーを天板の内方に向かって押動することにより、操作レバーに連係した前記停止装置の作動を解除して、天板を移動可能とし、さらに、前記天板の下面に、天板の側縁の前部または前縁の側部に開口する上向きの凹入部を形成し、この凹入部に、前記操作レバーを、その操作部が前記開口より突出するようにして設ける。
【０００９】
このような構成とすると、上記(１)項に記載の発明と同様の効果を奏することができるだけでなく、操作レバーを押動したままの状態で、天板を移動させることができ、操作性をさらに向上することができる。
【００１０】
(３)  上記(１)または(２)項において、天板の前部の側縁を、それより後方の側縁より内方に凹入する形状とし、その凹入部分に、操作レバーの操作部を配設する。
【００１１】
このような構成とすると、天板の側縁に通行者や他物が当接したとしても、操作レバーの操作部は、天板の側縁の凹入部分に配設されているので、操作レバーが誤って操作されるおそれは少なく、安全性を確保することができる。
また、天板の前部以外の横幅を大として、天板上面の面積を大とすることができる。
【００１２】
(４)  上記(１)〜(３)項のいずれかにおいて、天板の両側部に、左右１対の操作レバーを設け、その一方を、天板の昇降装置の昇降停止手段に、また他方を、天板の傾斜角度を変更するチルト装置のチルト停止手段に連係する。
【００１３】
このような構成とすると、左右の操作レバーを押動操作しつつ、天板を、両手で抱えて、自由に移動させることができ、操作性を向上することができる。    
【００１４】
(５)  上記(１)〜(４)項のいずれかにおいて、天板の前縁に、前方に向かって突出する手掛け部を設ける。
【００１５】
このような構成とすると、天板に向かって椅子に着座した障害者が、離着席する際に、この手掛け部に手を掛けることにより、容易に離着席することができるとともに、車椅子を天板側に引き寄せたい場合の引き手ともなり、障害者にとって利便性及び安全性を高めることができる。
【発明の効果】
【００１６】
本発明によると、指先や手の神経に障害のある障害者にとっても、操作レバーを簡単に操作することができるとともに、操作性及び安全性を考慮した天板付き家具を提供することができる。
【発明を実施するための最良の形態】
【００１７】
以下、本発明の実施形態を、添付図面を参照して説明する。  
図１〜図７は、本発明の第１の実施形態であるＯＡ機器操作用のテーブルを示す。
このテーブルにおける操作レバー装置以外の構成は、特許文献１に記載されている公知のものと同一であり、先にその部分の構成を簡単に説明した後、操作レバー装置の構成について詳細に説明する。
【００１８】
このテーブルにおける支持フレーム１は、側面視倒立Ｔ字状をなす左右１対の脚体２、２と、両脚体２の上部の対向面同士を連結する前後１対の互いに平行をなす横連結杆３、３と、この両横連結杆３の中間部に、前方（以下、図１の斜め右下方を前として説明する）を向くように取付けられた天板支持体４とを備えている。
【００１９】
天板支持体４は、前後の横連結杆３の左右方向の中間部に取付けられた左右１対の支持ブラケット５、５と、両支持ブラケット５の前端に上下に回動可能に枢着された前方を向く左右１対の平行リンク機構６、６とを備えている。
【００２０】
左右の平行リンク機構６は、図２〜図４にも示すように、左右の支持ブラケット５の前端部に一体的に形成した軸受部７、７同士により回動自在に枢支された、左右方向を向く基軸８と、その外方の両突出端部に後端が固嵌された第１リンクアーム９と、その内方において、後端部が支持ブラケット５の前端部上面に設けた上向突部１０に、左右方向を向く枢軸１１をもって回動自在に枢支された、第１リンクアーム９よりも上位に位置する段違いの第２リンクアーム１２と、第１、第２リンクアーム９、１２の前端同士を上下方向に回動自在に連結する左右方向を向く連結アーム１３と、左右の連結アーム１３の対向面同士を連結する連結杆１４とを備えている。
【００２１】
第２リンクアーム１２の前端は、連結アーム１３の内側方の後端に形成された切欠凹部１３ａに挿入することにより位置決めされ、この状態で、第２リンクアーム１２の前端部と連結アーム１３と連結杆１４とが、左右方向を向くねじ（図示略）により連結されている。
【００２２】
左右の連結アーム１３、１３の前端部には、前後方向を向く天板支持アーム１５、１５の前端部が、第１、第２リンクアーム９、１２間の上方において左右方向を向く軸１５ａ回りに上下に回動しうるようにして枢着されている。
【００２３】
左右の天板支持アーム１５の上面には、天板１６のやや後部寄りの下面が取付けられている。
【００２４】
天板１６は、図４に示すように、後縁１６ａが後方に向かって膨出する円弧面をなすとともに、両側縁１６ｂの前部が後向に凹入する円弧状をなし、かつ前縁１６ｃの中央部を後向きに凹入する円弧面とし、左右幅が前方に向かって漸次小となる平面視概ね前向台形状に形成され、その上面前端部には、やや軟質のエラストマ樹脂等よりなる手置き部１６ｄが一体的に形成されている。
手置き部１６ｄの外周部は、斜め下方を向く傾斜面としてある。
【００２５】
上述のように、前後の横連結杆３に固定した左右１対の支持ブラケット５、５の前端に、平行リンク機構６、６を、前方に突出させて取付け、その前端に枢着した天板支持アーム１５、１５により天板１６を支持すると、天板１６は、そのほぼ全体が横連結杆３より前方に突出した状態に取付けられる。
【００２６】
そのため、天板１６の下方には、大きな下肢空間が形成され、天板１６に載置したキーボード等を、椅子及び着座者の下肢を天板１６の下方に深く挿入した安楽姿勢で操作する際などにおいて、大きな開放感が得られる。
【００２７】
しかも、左右の平行リンク機構６の第１、第２リンクアーム９、１２は、段違いで、内方の第２リンクアーム１２が上方に位置しているので、左右の第２リンクアーム１２間の下方に、大ききな下肢空間が形成されるだけでなく、第１、第２リンクアーム９、１２との間に指や衣服等を挟む恐れがない。
【００２８】
左右の平行リンク機構６同士は、連結杆１４により連結されているので、互いに同期させて回動することができる。
【００２９】
前後の横連結杆３、３は、上述したように、撓みやねじれに対する強度が高いので、天板１６を前方に大きく突出させた状態で支持しても、強度的に何ら問題の生じる恐れはなく、天板１６の荷重を確実に受支して、これを安定して支持することができる。
【００３０】
左右の支持ブラケット５の取付ボルトを緩めることにより、平行リンク機構６及び天板１６の左右方向の取付位置を変えることができる。
【００３１】
基軸８と連結杆１４との間の中央部には、平行リンク機構６を介して天板１６を昇降させる際に、上向きの付勢力を付与する第１のガススプリング１７の前後の端部が、前上方を向くようにして、基軸８と連結杆１４に固着したコ字状のブラケット１８、１８を介して枢着されている。
【００３２】
また、連結杆１４の中央部と天板１６の後端部下面の中央部には、天板１６を前傾させる際に上向きの付勢力を付与する第２のガススプリング１９の前後の端部が、後上方を向くようにして、コ字状のブラケット１８、１８を介して枢着されている。
【００３３】
第１、第２のガススプリング１７、１９は、図５に示すように（同一構造につき、第１のガススプリングのみ図示する）、ピストンロッド１７ａの前端より突出するバルブ１７ｂを、ピストンロッド１７ａとブラケット１８とを連結している平面視前向きコ字状の連結具２０に枢着された作動レバー２１の下端により押圧することにより、ロックが解除されてフリーとなり、ピストンロッド１７ａが内部のガス圧により突出するようになっている。
【００３４】
上記作動レバー２１の上端には、連結具２０の前端の上方を向く支持片２２に一端が取付けられたアウタケーブル２３内のワイヤ２３ａの一端が連結されている。
【００３５】
上記の構成のうち、平行リンク機構６、連結アーム１３、第１のガススプリング１７等により、天板１６を昇降させる昇降装置が、また第１のガススプリング１７のバルブ１７ｂにより、昇降停止手段及び停止装置が形成されている。
さらに、第２のガススプリング１９により、天板１６の傾斜角度を変更するチルト装置が、また第２のガススプリング１９のバルブ(図示略)により、チルト停止手段及び停止装置が形成されている。
【００３６】
図４、図６及び図７に示すように、後方の側縁より内方に円弧状をなして漸次凹入する形状とした天板１６の前部の手置き部１６ｄの両側縁部の下面には、第１及び第２のガススプリング１７、１９用のアウタケーブル２３とワイヤ２３ａの他端が連結された操作レバー装置２４、２４が、天板１６の後部の側縁の前方への延長線より内側に位置するようにして設けられている。
すなわち、右方の操作レバー装置２４が、昇降装置用のものであり、左方の操作レバー装置２４が、チルト装置用のものである。
【００３７】
なお、両操作レバー装置２４は、左右対称で同一構造であるため、右方の操作レバー装置２４についてのみ説明する。
この操作レバー装置２４は、手置き部１６ｄの側縁に開口２５ａする底面視ほぼＬ字状をなす上向きの凹入部２５の下面を閉塞するようにして、周縁の適所を天板１６の下面にねじ止めされた底板２６と、凹入部２５の前部の上端面に固着された上面板２７と、凹入部２５内において、上面板２７と底板２６と間に挟まれるようにして、前後方向の中間部が上下方向の軸２８をもって枢着され、前半部が外側方に突出するように広幅となって、その外側方の突出端部が操作部２９ａをなし、その操作部２９ａが、開口２５ａより外側方に突出するようにした平面視ほぼＬ字状の操作レバー２９とを備えている。
【００３８】
図７に示すように、底板２６の上面には、上記軸２８が突設されるとともに、アウタケーブル２３の端末を保持する、上方に向かって開口する正面視上向コ字状のブラケット３０が固着されている。
このブラケット３０における左右１対の起立片３０ａ、３０ｂの上端中央には、側面視Ｕ字状の切欠き３１、３１が設けられており、天板１６の内方寄りの左方の起立片３０ａにおける切欠き３１には、アウタケーブル２３の端末部が、止め金具３２をもって止着されており、天板１６の外方寄りの右方の起立片３０ａにおける切欠き３１には、アウタケーブル２３の端末より引き出されたワイヤ２３ａが挿通し、このワイヤ２３ａの端末は、操作レバー２９の後端部に止着されている。
【００３９】
操作レバー２９は、第１のガススプリング１７に内蔵されたバルブ１７ｂを突出させようとする付勢手段(図示略)の付勢力が、作動レバー２１およびワイヤ２３ａを介して、操作レバー２９の後端部を左方に牽引するように作用しているので、常時は、その後部がブラケット３０の右方の起立片３０ａの外側面に当接し、操作部２９ａが開口２５ａより外側方に突出した不作動位置に停止しているが、操作部２９ａが天板１６の内方に向かって押動されることにより、操作レバー２９の前部内側縁に突設された内側方を向く凸部２９ｂの先端が、凹入部２５の内側壁に当接する作動位置まで回動させられ、その間に、ワイヤ２３ａがアウタケーブル２３の端末から引き出されるように牽引され、それによって、第１のガススプリング１７のバルブ１７ｂが、上記付勢手段の付勢力に抗して、作動レバー２１により、第１のガススプリング１７内に押動され、第１のガススプリング１７のピストンロッド１７ａのロック状態が解除されて、天板１６は自由に昇降しうる状態となる。すなわち、被操作装置である第１のガススプリング１７のバルブ１７ｂが作動させられる。
【００４０】
この操作レバー２９の操作部２９ａを作動位置に向かって押動したままの状態で、天板１６を自由に上下動させることができる。
また、左方の操作レバー装置２４における操作レバー２９も、上記の操作レバー２９と同様の左右対称の構成をもって、チルト装置である第２のガススプリング１９におけるチルト停止手段であるバルブに連係されているので、両手で、左右の操作レバー２９、２９の操作部２９ａ、２９ａを、天板１６の内方に向かって押動しつつ、天板１６を両側方より把持して、天板１６を、自由に昇降させたり、前部を上下に傾斜させたりすることができる。
【００４１】
天板１６を、所望の高さ、及び所望の傾斜角度とした状態で、左右の操作レバー２９、２９の操作部２９ａ、２９ａから手を離すと、第１及び第２のガススプリング１７、１９に内蔵された付勢手段の付勢力により、それらのバルブ１７ｂが押し出されるとともに、両操作レバー２９、２９の操作部２９ａ、２９ａが、不作動位置に向かって押し出され、天板１６は、その所望の高さ、及び所望の傾斜角度でロックされる。
【００４２】
上述のように、天板１６の前部の側縁を、それより後方の側縁より内方に円弧状に凹入する形状とし、その凹入部分に、操作レバー２９、２９の操作部２９ａ、２９ａを、天板１６の後部の側縁の前方への延長線より内側に位置するようにして配設してあるので、天板１６の側縁に通行者や他物が当接したとしても、操作レバー２９、２９が誤って操作されるおそれは少なく、安全性を確保することができる。
また、天板１６の前部以外の横幅を大として、天板１６上面の面積を大とすることができる。
【００４３】
天板１６の前端中央部には、天板１６の前縁と同一曲率の円弧状の鋼棒材の側部を後方へ向かって折曲した、平面視後向コ字状の手掛け部３３が、その前部を天板１６の前縁より前方に突出させて、その両側後部を、天板１６の下面に、取付金具３４をもって固着することにより取り付けられている。
【００４４】
このような手掛け部３３を設けたことにより、天板１６に向かって椅子(図示略)に着座した障害者が離着席する際に、この手掛け部３３に手を掛けて、容易に離着席することができ、かつ車椅子やキャスター付きの椅子等を天板側に引き寄せたい場合の引き手ともなり、障害者にとって利便性及び安全性が高められる。
【００４５】
本発明は、上記実施形態に限定されるものではない。
例えば、上記実施形態においては、天板１６の側縁の前部に、操作レバー２９を、その操作部２９ａが外側方に突出するようにして設け、操作レバー１６を天板の内方に向かって押動することにより、操作レバー１６に連係された被操作装置である昇降装置やチルト装置におけるバルブ１７ｂ等を作動させるようにしてあるが、図８に示す本発明の第２の実施形態のように、天板１６の前縁の一方または両方の側部に、操作レバー２９を、その操作部２９ａが前方に突出するようにして設け、操作レバー１６を後方に向かって押動することにより、操作レバー１６に連係された被操作装置である昇降装置や、チルト装置におけるバルブ１７ｂ等を作動させるようにしてもよい。
【００４６】
図８に示す第２の実施形態においては、左右の操作レバー１６、１６の配置と向きとを異ならせただけで、それ以外は第１の実施形態と同一であるので、同一または類似の部材には、同一の符号をもって図示するに止め、詳細な説明は省略する。
【００４７】
また、天板１６の高さ又は角度のみを調節可能とする際には、左右いずれか一方のみに操作レバー装置２４を設ければよい。
【００４８】
さらに、本発明は、テーブルだけでなく、天板付きのワゴンやキャビネット、その他の家具にも適用することができる。
【図面の簡単な説明】
【００４９】
【図１】本発明の第１の実施形態であるテーブルにおいて、天板を２点鎖線で示すことにより、その下方の部分を鮮明に示す斜視図である。
【図２】同じく、天板を実線で示す側面図である。
【図３】同じく、天板の高さを上げたときの側面図である。
【図４】同じく、天板を２点鎖線で示すことにより、平行リンク機構取付部と、左右の操作レバー装置とを鮮明に示す平面図である。
【図５】図４のV−V線拡大縦断側面図である。
【図６】図４のVI−VI線拡大縦断正面図である。
【図７】同じく、操作レバー装置を下方より見た分解斜視図である。
【図８】本発明の第２の実施形態であるテーブルの天板の平面図である。
【符号の説明】
【００５０】
１  支持フレーム
２  脚体
３  横連結杆
４  天板支持体
５  支持ブラケット
６  平行リンク機構
７  軸受部
８  基軸
９  第１リンクアーム
１０  上向突部
１１  枢軸
１２  第２リンクアーム
１３  連結アーム
１３ａ切欠凹部
１４  連結杆
１５  天板支持アーム
１５ａ軸
１６  天板
１６ａ後縁
１６ｂ側縁
１６ｃ前縁
１６ｄ手置き部
１７  第１のガススプリング(昇降装置)
１７ａピストンロッド
１７ｂバルブ（昇降停止手段及び停止装置）
１８  ブラケット
１９  第２のガススプリング(チルト装置)
２０  連結具
２１  作動レバー
２２  支持片
２３  アウタケーブル
２３ａワイヤ
２４  操作レバー装置
２５  凹入部
２５ａ開口
２６  底板
２７  上面板
２８  軸
２９  操作レバー
２９ａ操作部
２９ｂ凸部
３０  ブラケット
３０ａ、３０ｂ  起立片
３１  切欠き
３２  止め金具
３３  手掛け部
３４  取付金具
【図１】
0005503117.tif 000002
【図２】
0005503117.tif 000003
【図３】
0005503117.tif 000004
【図４】
0005503117.tif 000005
【図５】
0005503117.tif 000006
【図６】
0005503117.tif 000007
【図７】
0005503117.tif 000008
【図８】
0005503117.tif 000009